(57)【要約】【課題】例えばカメラ付の携帯電話等を手軽にセルフタイマー撮影等を行えるようにする携帯性に優れた撮影装置用スタンドを提供する。【解決手段】長手方向Ｙと短手方向Ｘを有する可撓性のシート状部材３からなり、長手方向の略中央部に、カメラ付携帯電話５を差し込むための差込開口部２が形成され、上記差込開口部２が形成された部分を境にしてシート状部材３を二つ折りにするよう撓めた状態で、二つ折りの各片３ａ，３ｂ同士を連結する連結構造部７，８と、２つの穴部６が設けられている。このため、両穴部６によってペットボトル１６に取り付けて使用でき、持ち歩くときはシート状に広げた状態で手帳に挟むなどして携帯することができ、極めて軽量で嵩張らず、可撓性であるために鞄のなかでゴツゴツせず、極めて形態性に優れているうえ、使用感も柔らかである。【選択図】図１
2012037831.tif 000002
【特許請求の範囲】
【請求項１】
長手方向と短手方向を有する可撓性のシート状部材からなり、
長手方向の略中央部に、撮影装置を差し込むための差込開口部が形成され、
上記差込開口部が形成された部分を境にしてシート状部材を二つ折りにするよう撓めた状態で、二つ折りの各片同士を連結する連結構造部が設けられている
ことを特徴とする撮影装置用スタンド。
【請求項２】
上記連結構造部は、二つ折りの一片に形成された切り起し片と、二つ折りの他片に形成されて上記切り起し片の先端部を嵌合させる嵌合部とを含んで構成されている請求項１記載の撮影装置用スタンド。
【請求項３】
上記連結構造部として、二つ折りの第１片の短手方向の略中央部に形成された第１の切り起し片と、二つ折りの第２片の上記第１の切り起し片に対応する部分に形成された第１の嵌合部とを含む、第１の連結構造部を備えている請求項２記載の撮影装置用スタンド。
【請求項４】
上記連結構造部として、二つ折りの第２片の短手方向の両端部にそれぞれ形成された第２の切り起し片と、二つ折りの第１片の上記第２の切り起し片に対応する部分に形成された第２の嵌合部とを含む、第２の連結構造部を備えている請求項２または３記載の撮影装置用スタンド。
【請求項５】
上記長手方向の両端近傍部に、二つ折りの各片同士を重ねるように撓めた状態で、同心状となる穴部がそれぞれ設けられている請求項１〜４のいずれか一項に記載の撮影装置用スタンド。
【請求項６】
長手方向と短手方向を有する可撓性のシート状部材からなり、
長手方向の略中央部に、撮影装置を差し込むための差込開口部が形成され、
上記長手方向の両端近傍部に、上記差込開口部が形成された部分を境にしてシート状部材を二つ折りにして二つ折りの各片同士を重ねるように撓めた状態で、同心状となる穴部がそれぞれ設けられている
ことを特徴とする撮影装置用スタンド。
【発明の詳細な説明】
【技術分野】
【０００１】
本発明は、例えばカメラ付の携帯電話等を手軽にセルフタイマー撮影等を行えるようにする携帯性に優れた撮影装置用スタンドに関するものである。
【背景技術】
【０００２】
近年、カメラ付携帯電話が爆発的に普及し、このような携帯電話に付属のカメラも、画質が向上し、多種多様な機能が付属しており、写真撮影装置として極めて普通に使用されるようになってきた。当然、カメラ付携帯のカメラでも、セルフタイマー機能が付属した物がほとんどで、セルフポートレートや集合写真を撮影できるようになっている。
【０００３】
ところが、本来は携帯電話であってカメラではないことから、多くの機種では、カメラのように三脚用のねじ穴を持っていない。また、携帯電話機としてダイヤルボタン部分を有するという機能上の必要性から、二つ折りやスライド式になったものが多い。このため、セルフタイマー撮影をしようと思っても、三脚は使用できず、机等の台上に置こうと思っても、撮影対象にレンズを向けた状態で安定して置くことができない。したがって、セルフタイマー機能はついていても結局それが使われることはなく、セルフポートレートはカメラ付携帯を片手でかざして自分にレンズを向けて撮影し、集合写真ではシャッター操作を誰かに頼む意外に方法がなかった。
【０００４】
そこで、カメラ付携帯電話用の支持装置として、下記の特許文献１〜４に示すようなものが考案されている。
【先行技術文献】
【特許文献】
【０００５】
【特許文献１】特開２００２−０６２５７８号公報
【特許文献２】特開２００３−２１０２９１号公報
【特許文献３】特開２００３−３１９０５０号公報
【特許文献４】特開２００４−３１７５７８号公報
【発明の概要】
【発明が解決しようとする課題】
【０００６】
上記特許文献１に記載のカメラ撮影用ホルダでは、ボックス状のホルダに携帯電話を収容し、ホルダを卓上等に載置して撮影を行うものである。
しかしながら、このホルダでは、携帯電話を横から収納するボックス状になっている。一方、携帯電話の機種は極めて多品種で、スライド方式や二つ折り方式など、構造もまちまちである。このため、携帯電話の機種ごとにそれにあったホルダを作らねばならず、コスト的に極めて不利である。また、携帯電話を収容するボックス状の形状であることは、収容する携帯電話より確実に大型になり、携帯電話以外にそれ以上の大きさのホルダを持ち歩くことは現実的でない。
【０００７】
上記特許文献２に記載の物品支持装置は、携帯電話を収容するポケット状の箱体の下部に三脚が取り付けられて構成されている。
特許文献３に記載の携帯電話の支持具は、携帯電話に吸着させる吸盤の下部に三脚が取り付けられて構成されている。
特許文献４に記載の携帯電話用三脚は、携帯電話の充電端子部に差し込むコネクタ部の下部に三脚が取り付けられて構成されている。
しかしながら、これらの装置では、小型の三脚を使用するのが前提となっているため、コスト的に高くなることが避けられないうえ、形態性や気軽に使用できるという面でも十分なものではない。
【０００８】
本発明は、上記課題を解決するためになされたものであり、例えばカメラ付の携帯電話等を手軽にセルフタイマー撮影等を行えるようにする携帯性に優れた撮影装置用スタンドを提供することをその目的とする。
【課題を解決するための手段】
【０００９】
上記の目的を達成するため、本発明の第１の撮影装置用スタンドは、長手方向と短手方向を有する可撓性のシート状部材からなり、
長手方向の略中央部に、撮影装置を差し込むための差込開口部が形成され、
上記差込開口部が形成された部分を境にしてシート状部材を二つ折りにするよう撓めた状態で、二つ折りの各片同士を連結する連結構造部が設けられていることを要旨とする。
【００１０】
上記の目的を達成するため、本発明の第２の撮影装置用スタンドは、長手方向と短手方向を有する可撓性のシート状部材からなり、
長手方向の略中央部に、撮影装置を差し込むための差込開口部が形成され、
上記長手方向の両端近傍部に、上記差込開口部が形成された部分を境にしてシート状部材を二つ折りにして二つ折りの各片同士を重ねるように撓めた状態で、同心状となる穴部がそれぞれ設けられていることを要旨とする。
【発明の効果】
【００１１】
本発明の第１の撮影装置用スタンドは、差込開口部が形成された部分を境にしてシート状部材を二つ折りにするよう撓めた状態で、二つ折りの各片同士を連結構造部によって連結し、長手方向の略中央部に形成された差込開口部に撮影装置を差し込むことが行われる。この状態で、差込開口部周辺のシート状部材の剛性が、二つ折りとなることにより向上し、差し込んだ撮影装置の安定度が向上する。そして、たとえば、二つ折りの各片の遊端を外側に撓めて卓上に載置したり、クリップで適当な部材に固定したりすることにより、撮影装置を撮影用にセットし、セルフタイマー撮影等を行うことができる。
そして、長手方向と短手方向を有する可撓性のシート状部材からなることから、持ち歩くときはシート状に広げた状態で手帳に挟むなどして携帯することができ、極めて軽量で嵩張らず、可撓性であるために鞄のなかでゴツゴツせず、極めて形態性に優れているうえ、使用感も柔らかである。また、差込開口部や連結構造部を、シート状部材を打ち抜いて形成することが可能で、従来の三脚等に比べてコスト面でも極めて有利である。
【００１２】
本発明において、上記連結構造部は、二つ折りの一片に形成された切り起し片と、二つ折りの他片に形成されて上記切り起し片の先端部を嵌合させる嵌合部とを含んで構成されている場合には、
連結構造部を構成する切り起し片および嵌合部を、シート状部材を打ち抜いて形成することが可能で、従来の三脚等に比べてコスト面で極めて有利である。
【００１３】
本発明において、上記連結構造部として、二つ折りの第１片の短手方向の略中央部に形成された第１の切り起し片と、二つ折りの第２片の上記第１の切り起し片に対応する部分に形成された第１の嵌合部とを含む、第１の連結構造部を備えている場合には、
第１の連結構造部により、シート状部材を短手方向の略中央部で連結することにより、差込開口部周辺のシート状部材の剛性が、二つ折りとなって向上し、差し込んだ撮影装置が安定する。また、第１片と第２片の間でブリッジした切り起し片の上に、差し込んだ撮影装置を当接させることにより、差し込んだ撮影装置の安定度がさらに向上し、撮影装置を少し傾けた状態でも摩擦力で撮影装置が保持され、撮影角度の調整も可能となる。
【００１４】
本発明において、上記連結構造部として、二つ折りの第２片の短手方向の両端部にそれぞれ形成された第２の切り起し片と、二つ折りの第１片の上記第２の切り起し片に対応する部分に形成された第２の嵌合部とを含む、第２の連結構造部を備えている場合には、
第２の連結構造部により、シート状部材を短手方向の両端部で連結することにより、差込開口部周辺のシート状部材の剛性が、二つ折りとなって向上し、差し込んだ撮影装置が安定する。このとき、第１片と第２片で挟み込む力を作用させ、差し込んだ撮影装置の安定度がさらに向上する。
さらに、第２の切り起し片を、第１の切り起し片が形成された片とは反対側の片に形成することとなるため、第１の連結構造部と第２の連結構造部を並設したときに、シート状部材の全面を有効に活用し、いたずらに強度が弱くなるような打ち抜きパターンとならず、強度を確保できる。この場合また、両片の間をブリッジして相手片を引き付ける方向が、第１の切り起し片と第２の切り起し片とで逆になって、組み上げたときの力学的バランスが安定し、撮影装置をセットしたときの安定度も向上する。
【００１５】
本発明において、上記長手方向の両端近傍部に、二つ折りの各片同士を重ねるように撓めた状態で、同心状となる穴部がそれぞれ設けられている場合には、
両穴部が同心状となるよう二つ折りの各片の両端部を重ね、例えばペットボトルのキャップ部や瓶の口部を差し込んで安定させ、撮影装置をセットすることができる。このとき、例えば、高さが異なるペットボトルや瓶を用いることにより、撮影装置の高さ調節も可能となる。
【００１６】
本発明の第２の撮影装置用スタンドは、差込開口部が形成された部分を境にしてシート状部材を二つ折りにするよう撓めた状態で、長手方向の略中央部に形成された差込開口部に撮影装置を差し込むことが行われる。この状態で、二つ折りのシート状部材の各片同士を重ねるように撓めた状態で、同心状となる穴部がそれぞれ設けられている。したがって、両穴部が同心状となるよう二つ折りの各片の両端部を重ね、例えばペットボトルのキャップ部や瓶の口部を差し込んで安定させ、撮影装置をセットすることができ、セルフタイマー撮影等を行うことができる。このとき、例えば、高さが異なるペットボトルや瓶を用いることにより、撮影装置の高さ調節も可能となる。また、差込開口部周辺のシート状部材の剛性が、二つ折りとなることにより向上し、差し込んだ撮影装置の安定度が向上する。そして、長手方向と短手方向を有する可撓性のシート状部材からなることから、持ち歩くときはシート状に広げた状態で手帳に挟むなどして携帯することができ、極めて軽量で嵩張らず、可撓性であるために鞄のなかでゴツゴツせず、極めて形態性に優れているうえ、使用感も柔らかである。また、差込開口部や連結構造部を、シート状部材を打ち抜いて形成することが可能で、従来の三脚等に比べてコスト面でも極めて有利である。
【００１７】
本発明において「同心状」とは、丸円と丸円が同心状であるだけでなく、丸穴の中心が長穴の軸心上に存在したり、長穴の軸心同士が重なったりする場合も含む趣旨である。
【図面の簡単な説明】
【００１８】
【図１】本発明の第１実施形態における撮影装置用スタンドを示す図である。
【図２】差込開口部を示す斜視図である。
【図３】第１の連結構造部と第２の連結構造部を説明するための斜視図である。
【図４】上記撮影装置用スタンドの使用状態の第１例を示す図である。
【図５】上記撮影装置用スタンドの使用状態の第２例を示す図である。
【図６】本発明の第２実施形態における撮影装置用スタンドを示す図である。
【図７】本発明の第３実施形態における撮影装置用スタンドを示す図である。
【発明を実施するための形態】
【００１９】
以下、本発明の撮影装置用スタンドの実施形態について詳細に説明する。
【００２０】
図１は、本実施形態の撮影装置用スタンド１の全体構造を示す図である。
【００２１】
この撮影装置用スタンド１は、長手方向Ｙと短手方向Ｘを有する可撓性のシート状部材３から形成されている。
【００２２】
上記可撓性のシート状部材３としては、ある程度の厚みで可撓性を有するもの、例えば、ポリ塩化ビニル、ポリエチレン、ポリプロピレン、ポリウレタン、ナイロン等、シート状にした状態で手指で容易に撓ませることができる樹脂材料を用いることができる。この例では、厚み２ｍｍのポリ塩化ビニルシートを採用した。
【００２３】
上記可撓性のシート状部材３が、まず、長手方向Ｙと短手方向Ｘを有する平面形状にカットされる。この例では、略長方形状にカットされている。長手方向Ｙと短手方向Ｘを有する形状であれば、例えば、トラック形状、ひし形、楕円形など、各種の平面形状を採用することができる。
【００２４】
所定の平面形状にカットされたシート状部材３の長手方向Ｙの略中央部に、撮影装置を差し込むための差込開口部２が形成されている。上記差込開口部２は、この例では、短手方向Ｘに沿って延びる長い切れ込み２ａと、その両端において長手方向Ｙに沿って延びる短い切れ込み２ｂと、短い切れ込み２ｂの両端部に穿設された裂け止めのための丸穴２ｃとから構成され、全体として「Ｉ」字状の切れ込みによって形成されている。
【００２５】
図２は、上記差込開口部２を開口させた状態を示す図である。
【００２６】
図示のように、シート状部材３を、上記差込開口部２が形成された部分を境にして長手方向Ｙの両端部を近づけるように二つ折りになるよう撓める。このようにすることにより、長い切れ込み２ａとその両端の短い切れ込み２ｂに囲われる帯状の舌片４が、湾曲したシート状部材３の頂部よりも上方に起立し、それらの間に差込開口部２が開口する。この差込開口部２に、カメラ付携帯電話機５（撮影装置；図４、図５参照）を差し込むことが行われる。
【００２７】
この撮影装置用スタンド１は、上記差込開口部２が形成された部分を境にしてシート状部材３を二つ折りにするよう撓めた状態で、二つ折りの各片同士を連結する第１の連結構造部７および第２の連結構造部８が設けられている。
【００２８】
上記第１の連結構造部７は、二つ折りの一片に形成された切り起し片と、二つ折りの他片に形成されて上記切り起し片の先端部を嵌合させる嵌合部とを含んで構成されている。上記第２の連結構造部８も同様に、二つ折りの一片に形成された切り起し片と、二つ折りの他片に形成されて上記切り起し片の先端部を嵌合させる嵌合部とを含んで構成されている。以下に第１および第２の連結構造部７，８をそれぞれ詳しく説明する。
【００２９】
上記第１の連結構造部７は、二つ折りの第１片３ａの短手方向の略中央部に形成された第１の切り起し片１１と、二つ折りの第２片３ｂの上記第１の切り起し片１１に対応する部分に形成された第１の嵌合部１３とを含んで構成されている。
【００３０】
上記第１の切り起し片１１は、第１片３ａに大略匙形状となる切れ目１１ｂを入れることにより形成されている。切れ目１１ｂの根元端部には、裂け止めのための丸穴１１ａが穿設されている。上記第１の切り起し片１１の匙形状の先端近傍には、先端部をストッパ１５として機能させて抜け止めするための切れ込み部１１ｃが両側から内側に向かって対向するよう横方向に形成されている。
【００３１】
上記第１の嵌合部１３は、第２片３ｂに形成された「Ｔ」字状の貫通部として形成されている。「Ｔ」字状の縦線に対応する部分は長手方向Ｙに沿って、「Ｔ」字状の横線に対応する部分は短手方向Ｘに沿うよう、形成されている。
【００３２】
上記第２の連結構造部８は、二つ折りの第２片３ｂの短手方向の両端部にそれぞれ形成された第２の切り起し片１２と、二つ折りの第１片３ａの上記第２の切り起し片１２に対応する部分に形成された第２の嵌合部１４とを含んで構成されている。
【００３３】
上記第２の切り起し片１２は、第２片３ｂに大略鎌形状となる切れ目１２ｂを入れることにより形成されている。上記第２の切り起し片１２の鎌形状は、鎌状部１２ｃの先端が、第２片３ｂの両側から内側に向かって対向するよう形成されている。切れ目１２ｂの根元端部には、裂け止めのための丸穴１２ａが穿設されている。
【００３４】
上記第２の嵌合部１４は、第２片３ｂに形成されたスリット状の切れ込み部として形成されている。上記第２の嵌合部１４は、切れ込み部１１ｃが第２片３ｂの両側から内側に向かって対向するよう横方向に形成されることにより設けられている。
【００３５】
また、この撮影装置用スタンド１は、シート状部材３の上記長手方向Ｙの両端近傍部に、二つ折りの各片３ａ，３ｂ同士を重ねるように撓めた状態で、同心状となる穴部６がそれぞれ設けられている。
【００３６】
図３は、上記第１および第２の連結構造部７、８を詳しく説明するための図である。
【００３７】
第１の連結構造部７は、図示のように、シート状部材３を、差込開口部２を境にして長手方向Ｙの両端部を近づけるように二つ折りになるよう撓め、第１の切り起し片１１と第１の嵌合部１３を嵌合させることにより、連結される。このとき、上記第１の切り起し片１１先端のストッパ１５を第１の嵌合部１３の縦開口に差し込み、ストッパ１５が横向けになるよう捻り、ストッパ１５が反対側に突き抜けた状態で連結される。
【００３８】
第２の連結構造部８は、シート状部材３を同様に二つ折りに撓め、第２の切り起し片１２と第２の嵌合部１４を嵌合させることにより、連結される。このとき、上記第２の切り起し片１２先端の鎌状部１２ｃを第２の嵌合部１４のスリットに差し込み、鎌状部１２ｃが反対側に突き出た状態で連結される。
【００３９】
このように、第２の連結構造部８は、第１の連結構造部７よりも、差込開口部２に近い位置で二つ折りの各片３ａ，３ｂ同士を連結している。これにより、差込開口部２周辺のシート状部材３の剛性が、二つ折りとなって向上し、差し込んだカメラ付携帯電話機５が安定する。このとき、第１片３ａと第２片３ｂでカメラ付携帯電話機５を挟み込む力が作用し、カメラ付携帯電話機５の安定度がさらに向上する。
【００４０】
図４は、上記構成の撮影装置用スタンド１の使用状態の第１例を示す図である。
【００４１】
上述したように、上記差込開口部２が形成された部分を境にしてシート状部材３を二つ折りにするよう撓め、二つ折りの各片３ａ，３ｂ同士を第１の連結構造部７および第２の連結構造部８で連結する。
【００４２】
そして、開口した差込開口部２にカメラ付携帯電話機５を差し込んで、たとえば、二つ折りの各片３ａ，３ｂの遊端を外側に撓めて卓上に載置することにより、カメラ付携帯電話機５を撮影用にセットし、セルフタイマー撮影等を行うことができる。また、二つ折りの各片３ａ，３ｂの遊端を、クリップで適当な部材に固定してもよい。
【００４３】
図５は、上記構成の撮影装置用スタンド１の使用状態の第２例を示す図である。
【００４４】
この例でも同様に、上記差込開口部２が形成された部分を境にしてシート状部材３を二つ折りにするよう撓め、二つ折りの各片３ａ，３ｂ同士を第１の連結構造部７および第２の連結構造部８で連結する。
【００４５】
そして、両穴部６が同心状となるよう二つ折りの各片３ａ，３ｂの両端部を重ね、例えばペットボトル１６のキャップ部１７や瓶の口部を重ねた両穴部６に差し込んで安定させ、カメラ付携帯電話機５をセットすることができる。
【００４６】
このとき、両穴部６は、キャップ部１７を通り越した首の位置に位置決めするのが好ましい。キャップ部１７の外周部で両穴部６を止めると、ふとした拍子に穴部６がキャップ部１７から外れてしまい、カメラ付携帯電話機５を落下させる恐れがあるが、両穴部６をキャップ部１７を通り越した首の位置に位置決めすることにより、両穴部６は簡単には外れなくなり、そのようなトラブルを防げるからである。また、両穴部６をキャップ部１７を通り越した首の位置に位置決めすると、撮影装置用スタンド１がペットボトル１６の上で多少ぐらぐらしやすいが、各片３ａ，３ｂの間でブリッジした第１の切り起し片１１の下面がキャップ部１７の頂面に当接することにより、ペットボトル１６の上に取り付けたときの撮影装置用スタンド１の安定性を飛躍的に向上させることができる。
【００４７】
以上のように、本実施形態の撮影装置用スタンド１は、差込開口部２が形成された部分を境にしてシート状部材３を二つ折りにするよう撓めた状態で、二つ折りの各片３ａ，３ｂ同士を連結構造部７，８によって連結し、長手方向の略中央部に形成された差込開口部２にカメラ付携帯電話機５を差し込むことが行われる。この状態で、差込開口部２周辺のシート状部材３の剛性が、二つ折りとなることにより向上し、差し込んだカメラ付携帯電話機５の安定度が向上する。そして、たとえば、二つ折りの各片３ａ，３ｂの遊端を外側に撓めて卓上に載置したり、クリップで適当な部材に固定したりすることにより、カメラ付携帯電話機５を撮影用にセットし、セルフタイマー撮影等を行うことができる。
そして、長手方向Ｙと短手方向Ｘを有する可撓性のシート状部材３からなることから、持ち歩くときはシート状に広げた状態で手帳に挟むなどして携帯することができ、極めて軽量で嵩張らず、可撓性であるために鞄のなかでゴツゴツせず、極めて形態性に優れているうえ、使用感も柔らかである。また、差込開口部２や連結構造部７，８を、シート状部材３を打ち抜いて形成することが可能で、従来の三脚等に比べてコスト面でも極めて有利である。
【００４８】
また、上記連結構造部７，８は、二つ折りの一片に形成された切り起し片と、二つ折りの他片に形成されて上記切り起し片の先端部を嵌合させる嵌合部とを含んで構成されているため、
連結構造部７，８を構成する切り起し片および嵌合部を、シート状部材３を打ち抜いて形成することが可能で、従来の三脚等に比べてコスト面で極めて有利である。
【００４９】
また、連結構造部として、二つ折りの第１片３ａの短手方向Ｘの略中央部に形成された第１の切り起し片１１と、二つ折りの第２片３ｂの上記第１の切り起し片１１に対応する部分に形成された第１の嵌合部１３とを含む、第１の連結構造部７を備えているため、
第１の連結構造部７により、シート状部材３を短手方向Ｘの略中央部で連結することにより、差込開口部２周辺のシート状部材３の剛性が、二つ折りとなって向上し、差し込んだカメラ付携帯電話機５が安定する。また、第１片３ａと第２片３ｂの間でブリッジした切り起し片の上に、差し込んだカメラ付携帯電話機５を当接させることにより、差し込んだカメラ付携帯電話機５の安定度がさらに向上し、カメラ付携帯電話機５を少し傾けた状態でも摩擦力でカメラ付携帯電話機５が保持され、撮影角度の調整も可能となる。
【００５０】
また、上記連結構造部として、二つ折りの第２片３ｂの短手方向Ｘの両端部にそれぞれ形成された第２の切り起し片１２と、二つ折りの第１片３ａの上記第２の切り起し片１２に対応する部分に形成された第２の嵌合部１４とを含む、第２の連結構造部８を備えているため、
第２の連結構造部８により、シート状部材３を短手方向Ｘの両端部で連結することにより、差込開口部２周辺のシート状部材３の剛性が、二つ折りとなって向上し、差し込んだカメラ付携帯電話機５が安定する。このとき、第１片３ａと第２片３ｂで挟み込む力を作用させ、差し込んだカメラ付携帯電話機５の安定度がさらに向上する。
さらに、第２の切り起し片１２を、第１の切り起し片１１が形成された片とは反対側の片に形成することとなるため、第１の連結構造部７と第２の連結構造部８を並設したときに、シート状部材３の全面を有効に活用し、いたずらに強度が弱くなるような打ち抜きパターンとならず、強度を確保できる。この場合また、両片３ａ，３ｂの間をブリッジして相手片を引き付ける方向が、第１の切り起し片１１と第２の切り起し片１２とで逆になって、組み上げたときの力学的バランスが安定し、カメラ付携帯電話機５をセットしたときの安定度も向上する。
【００５１】
また、上記長手方向Ｙの両端近傍部に、二つ折りの各片３ａ、３ｂ同士を重ねるように撓めた状態で、同心状となる穴部６がそれぞれ設けられているため、
両穴部６が同心状となるよう二つ折りの各片３ａ，３ｂの両端部を重ね、例えばペットボトル１６のキャップ部１７や瓶の口部を差し込んで安定させ、カメラ付携帯電話機５をセットすることができる。このとき、例えば、高さが異なるペットボトル１６や瓶を用いることにより、カメラ付携帯電話機５の高さ調節も可能となる。
【００５２】
図６は、本発明の第２実施形態の撮影装置用スタンド１を示す。
【００５３】
この例では、第１の連結構造部７が設けられ、第２の連結構造部８が設けられていない。そして、上記第１の連結構造部７において、第１の嵌合部１３は、ストッパ１５を抜け止めとして位置決めする位置決め部１３ａが３箇所設けられており、第１片３ａと第２片３ｂを連結したときの両片３ａ，３ｂ間の距離を３段階に調節できるようになっている。さらに、二つ折りの各片３ａ、３ｂ同士を重ねるように撓めた状態で、同心状となる第１の穴部６ａと第２の穴部６ｂが設けられ、第２片３ｂに設けられた第２の穴部６ｂは、上記３段階の調節幅をカバーしうるよう長穴に形成されている。このように、本発明において「同心状」とは、丸円と丸円が同心状であるだけでなく、丸穴の中心が長穴の軸心上に存在したり、長穴の軸心同士が重なったりする場合も含む趣旨である。
【００５４】
図７は、本発明の第３実施形態の撮影装置用スタンド１を示す。
【００５５】
この例では、第１の連結構造部７と第２の連結構造部８が設けられていない。そして、二つ折りの各片３ａ、３ｂ同士を重ねるように撓めた状態で、同心状となる穴部６が設けられている。
【００５６】
この撮影装置用スタンドでは、差込開口部２が形成された部分を境にしてシート状部材３を二つ折りにするよう撓めた状態で、長手方向の略中央部に形成された差込開口部２にカメラ付携帯電話機５を差し込むことが行われる。この状態で、二つ折りのシート状部材３の各片３ａ、３ｂ同士を重ねるように撓めた状態で、同心状となる穴部６がそれぞれ設けられている。したがって、両穴部６が同心状となるよう二つ折りの各片３ａ，３ｂの両端部を重ね、例えばペットボトル１６のキャップ部１７や瓶の口部を差し込んで安定させ、カメラ付携帯電話機５をセットすることができ、セルフタイマー撮影等を行うことができる。このとき、例えば、高さが異なるペットボトル１６や瓶を用いることにより、カメラ付携帯電話機５の高さ調節も可能となる。また、差込開口部２周辺のシート状部材３の剛性が、二つ折りとなることにより向上し、差し込んだカメラ付携帯電話機５の安定度が向上する。そして、長手方向と短手方向を有する可撓性のシート状部材３からなることから、持ち歩くときはシート状に広げた状態で手帳に挟むなどして携帯することができ、極めて軽量で嵩張らず、可撓性であるために鞄のなかでゴツゴツせず、極めて形態性に優れているうえ、使用感も柔らかである。また、差込開口部２を、シート状部材３を打ち抜いて形成することが可能で、従来の三脚等に比べてコスト面でも極めて有利である。
【００５７】
なお、上述した各実施形態では、第１の連結構造部７を構成する第１の切り起し片１１を大略匙形状に形成し、第１の嵌合部１３を「Ｔ」字状の貫通部として形成したが、これに限定するものではなく、第１の嵌合部１３を各種形状の貫通部とし、第１の切り起し片１１は上記貫通部に抜け止めされる各種の形状とすることができる。
【００５８】
また、第２の連結構造部８を構成する第２の切り起し片１２を大略鎌形状に形成し、第２の嵌合部１４をスリット状の切れ込み部として形成したが、これに限定するものではなく、第２の嵌合部１４を各種形状の切れ込み部や貫通部とし、第２の切り起し片１２は上記貫通部に抜け止めされる各種の形状とすることができる。
【００５９】
また、上述した各実施形態では、撮影装置の一例としてカメラ付携帯電話機５を取り上げて説明したが、これに限定するものではなく、デジタルカメラやレンズ付フィルムの使いきりカメラ等、各種の撮影装置を適用することができる。
【符号の説明】
【００６０】
１：撮影装置用スタンド
２：差込開口部
２ａ：長い切れ込み
２ｂ：短い切れ込み
２ｃ：丸穴
３：シート状部材
３ａ：第１片
３ｂ：第２片
４：舌片
５：カメラ付携帯電話機
６：穴部
６ａ：第１の穴部
６ｂ：第２の穴部
７：第１の連結構造部
８：第２の連結構造部
１１：第１の切り起し片
１１ａ：丸穴
１１ｂ：切れ目
１１ｃ：切れ込み部
１２：第２の切り起し片
１２ａ：丸穴
１２ｂ：切れ目
１２ｃ：鎌状部
１３：第１の嵌合部
１３ａ：位置決め部
１４：第２の嵌合部
１５：ストッパ
１６：ペットボトル
１７：キャップ部
Ｘ：短手方向
Ｙ：長手方向
【図１】
2012037831.tif 000003
【図２】
2012037831.tif 000004
【図３】
2012037831.tif 000005
【図４】
2012037831.tif 000006
【図５】
2012037831.tif 000007
【図６】
2012037831.tif 000008
【図７】
2012037831.tif 000009